(57)【要約】      （修正有）【課題】電気伝導性要素の温度を正確かつできるだけ適時に判定することを可能にするコンタクトアセンブリ、特にソケットまたはプラグを提供する。【解決手段】少なくとも１つの電気伝導性要素７の温度を検出するためのアセンブリ１であって、アセンブリ１は、少なくとも１つの温度プローブ９と、電気絶縁性かつ熱伝導性の材料から作られた少なくとも１つの別個の熱導体３７と、を有し、熱導体３７は、温度プローブ９を少なくとも部分的に囲み、かつ、熱導体３７は、電気伝導性要素７を支承するための支承面を有する。【選択図】図５
2019168450.tif 000002
【特許請求の範囲】
【請求項１】
少なくとも１つの電気伝導性要素（７）の温度（Ｔ）を検出するためのアセンブリ（１）であって、
前記アセンブリ（１）は、
−  少なくとも１つの温度プローブ（９）と、
−  電気絶縁性かつ熱伝導性の材料（３９）から作られた少なくとも１つの別個の熱導体（３７）と、を有し、
前記熱導体（３７）は、前記温度プローブ（９）を少なくとも部分的に囲み、かつ、前記熱導体（３７）は、前記電気伝導性要素（７）を支承するための支承面（４９）を有する、
アセンブリ。
【請求項２】
少なくとも前記支承面（４９）は、弾性的かつ可逆的に変形可能である、
請求項１に記載のアセンブリ（１）。
【請求項３】
前記支承面（４９）は、少なくとも部分的に凹状に形成されている、
請求項１または２に記載のアセンブリ（１）。
【請求項４】
前記熱導体（３７）は、シリコーン（４１）を有する、
請求項１から３のいずれか一項に記載のアセンブリ（１）。
【請求項５】
前記少なくとも１つの温度プローブ（９）は、回路基板（１７）に配置されている、
請求項１から４のいずれか一項に記載のアセンブリ（１）。
【請求項６】
前記熱導体（３７）は、前記温度プローブ（９）を少なくとも部分的に、少なくとも三面で囲む、
請求項１から５のいずれか一項に記載のアセンブリ（１）。
【請求項７】
前記回路基板（１７）の少なくとも１つの部分（１８）は、前記熱導体（３７）に差し込まれている、
請求項５または６に記載のアセンブリ（１）。
【請求項８】
前記熱導体（３７）は、前記少なくとも１つの温度プローブ（９）を受容するためのスロット（５９）を有する、
請求項１から７のいずれか一項に記載のアセンブリ（１）。
【請求項９】
少なくとも前記温度プローブ（９）は、前記熱導体（３７）により完全に囲まれている、
請求項１から８のいずれか一項に記載のアセンブリ（１）。
【請求項１０】
前記熱導体（３７）は、
電気絶縁性外殻（７９）と、
前記電気絶縁性外殻（７９）に受容されるさらなる熱伝導性媒体（８１）と、を備える、
請求項１から９のいずれか一項に記載のアセンブリ（１）。
【請求項１１】
前記熱導体（３７）は、５００Ｖ超の絶縁破壊電圧（４０）を有する、
請求項１から１０のいずれか一項に記載のアセンブリ（１）。
【請求項１２】
特にソケット（２９）またはプラグ（３１）であるコンタクトアセンブリ（１１）であって、
前記コンタクトアセンブリ（１１）は、
−  少なくとも１つの電気伝導性要素（７）を受容するための、少なくとも１つのコンタクトレセプタクル（５５）と、
−  請求項１から１１のいずれか一項に記載の少なくとも１つの前記アセンブリ（１）が配置された、少なくとも１つのセンサレセプタクル（１３）と、を有する、
コンタクトアセンブリ（１１）。
【請求項１３】
前記センサレセプタクル（１３）は、二次掛止要素（１５）に形成されている、
請求項１２に記載のコンタクトアセンブリ（１１）。
【請求項１４】
前記アセンブリ（１）は前記二次掛止要素（１５）とともに可動であり、
前記熱導体（３７）が前記少なくとも１つのコンタクトレセプタクル（５５）に当接する、または前記熱導体（３７）が前記コンタクトレセプタクル（５５）に重なる、前記二次掛止要素（１５）の少なくとも１つの位置（３４）が設けられている、
請求項１２または１３に記載のコンタクトアセンブリ（１１）。
【請求項１５】
前記コンタクトアセンブリ（１１）の前記センサレセプタクル（１３）内の前記アセンブリ（１）は、熱ブリッジの材料（３９）で注封されている、
請求項１１から１３のいずれか一項に記載のコンタクトアセンブリ（１１）。
【発明の詳細な説明】
【技術分野】
【０００１】
本発明は、少なくとも１つの電気伝導性要素の温度を検出するためのアセンブリに関する。本発明はさらに、少なくとも１つの電気伝導性要素を受容するための少なくとも１つのコンタクトレセプタクルと、少なくとも１つのセンサレセプタクルとを有する、コンタクトアセンブリ、特にソケットまたはプラグに関する。
【背景技術】
【０００２】
温度を検出するためのアセンブリおよびそのようなアセンブリを有するコンタクトアセンブリが、先行技術から知られている。アセンブリは、例えば、電気伝導性要素をモニタするために使用される。例えば、温度閾値に達すると、このアセンブリは、最大許容電流が電気伝導性要素を流れているかどうか、またはさらには、不完全接触または接触不良があるかどうかを示すことができる。接触不良により、例えば、電気伝導性要素の有効電気伝導性断面が小さくなり、一定の電流の場合に、前記要素が仕様内で設定された温度閾値を超えて加熱されることがある。特にエレクトロモビリティの分野において、この種の接触不良は重大であり、避けなければならない。この分野における１ｋＶの範囲の電圧およびＤＣ回路に流れる約２００Ａの範囲の電流により、１分未満で接触不良が生じ、電気伝導性要素が所定の閾値を超えて過度に加熱されることがある。
そのような過熱の場合、コンタクトアセンブリおよび周囲要素の熱破壊の危険があるだけでなく、有毒な蒸気／ガスが漏れて発火する危険もある。非常に高い電流が送られていることおよび電気接触が不良であることを、電気伝導性要素の温度により確実に示すことによって、前記危険を減らす、またはさらにはなくすことができる。
【０００３】
しかしながら、先行技術から知られている解決策は、判定温度値に相違があり、判定温度閾値を遅れて判定することしかできず、すなわち特定の時間に判定された温度値が電気伝導性要素の現在の温度を表していないというさらなる不都合が生じるおそれがある。
【発明の概要】
【発明が解決しようとする課題】
【０００４】
したがって、本発明の１つの課題は、少なくとも１つの電気伝導性要素の温度を検出するためのアセンブリを作製すること、および電気伝導性要素の温度を正確かつできるだけ適時に判定することを可能にするコンタクトアセンブリ、特にソケットまたはプラグを作製することである。
【課題を解決するための手段】
【０００５】
前記アセンブリは、少なくとも１つの温度プローブと、電気絶縁性かつ熱伝導性の材料から構成された少なくとも１つの別個の熱導体とを有し、熱導体が、温度プローブを少なくとも部分的に囲み、電気伝導性要素を支承するための支承面を有することにより、前記課題を解決する。
【０００６】
熱導体は電気絶縁性であり、温度プローブを少なくとも部分的に囲むため、空気および沿面距離がいずれも増加して、電気回路（高電圧回路および低電圧回路）を互いに確実に電気絶縁することができる。
【０００７】
さらに、本発明による解決策によって、電気伝導性要素との優れた熱結合が可能になるため、温度差および時間遅延を最小限にすることができる。
【０００８】
本発明によるアセンブリおよび本発明によるコンタクトアセンブリは、温度を測定する予定の電気伝導性要素と温度プローブとが略ぴったりと熱接続するという利点を有する。熱接続とは、電気伝導性要素から温度プローブに熱を伝導する熱ブリッジを意味するものと理解される。さらに、熱導体および特にその支承面により、熱導体と電気伝導性要素との間または熱導体と温度プローブとの間に生じ得る空隙を防止する、または少なくとも最小限にすることができる。したがって、熱伝達に関して絶縁するように作用する空気層の厚さを低減させることができ、適時の測定が可能になる。
【０００９】
本発明による前記コンタクトアセンブリは、本発明による、温度を検出するための少なくとも１つのアセンブリをセンサレセプタクルに配置することにより、前記課題を解決する。
【００１０】
本発明によるアセンブリおよび本発明によるコンタクトアセンブリを、以下でより詳細に説明する構成によってさらに改良することができる。この場合、以下で説明する特定の構成の技術的特徴を希望に応じて互いに組み合わせることができ、省略しようとする技術的特徴によって達成される技術的効果が重要でなければ、その技術的特徴を省略することもできる。
【００１１】
熱伝導性の材料とは、特に、絶縁材料に関連付けられず、少なくとも０．２Ｗ／（ｍＫ）の熱伝導性を有する材料を意味するものと理解される。最大数百Ｗ／（ｍＫ）のより高い熱伝導性を本質的に有することのできる金属が、実際にはより優れた熱導体である（より高い熱伝導性という意味でより優れている）が、金属は電気絶縁を保証しないため、電気伝導性要素と温度プローブとの間の温度の伝達に使用することができない。しかしながら、低電圧電気回路の電気部品を欠陥および／または破壊から保護するために、高電圧電気回路（約１ｋＶ）を低電圧電気回路（例えば１２ボルト、電気自動車の搭載電子機器）から電気的に分離する必要に迫られている。
【００１２】
本発明によるアセンブリの１つの可能な構成において、少なくとも支承面が弾性的かつ可逆的に変形可能である。これは、そのような構成を温度プローブおよび／または温度を測定する予定の電気伝導性要素に物理的に適合させることができるという利点を有する。
【００１３】
したがって、熱導体と電気伝導性要素および／または温度プローブとの間にできるだけ広範囲な機械的接触が保証される。電気伝導性要素から温度プローブへの熱伝導を大幅に低減させる絶縁空隙は生じない。
【００１４】
少なくとも支承面が可逆的に変形可能であることにより、１つの同じ熱導体を、本質的にわずかに異なる要素に適合させることができる。したがって、起こり得る製造公差にかかわらず、電気伝導性要素との最適な熱結合が常に保証される。
【００１５】
本発明によるさらなるアセンブリにおいて、支承面は、少なくとも部分的に凹状に形成される。これは、この種の凹状アセンブリを対応する凸状に形成された電気伝導性要素の周りに部分的に当てることができるという利点を有する。特に、電気伝導性要素を円筒形またはロッド状にして、電気伝導性要素の温度測定点における外径を凹状支承面の半径に対応させることができる。
【００１６】
しかしながら、同様に、支承面の任意の形状が考えられ、このような形状は、電気伝導性要素の外形に適合させることができると特に好ましい。
【００１７】
特に有利な構成において、完全な別個の熱導体が弾性的かつ可逆的に変形可能である。
【００１８】
本発明によるアセンブリのさらなる構成において、熱導体はシリコーンを有していてもよい。シリコーンは、高電圧電気回路を低電圧電気回路から確実に分離することができる優れた電気絶縁体である。
【００１９】
いわゆる高充填シリコーンを熱導体として使用できることが特に好ましい。この種の高充填シリコーンは、高熱伝導性材料の微粒子と混合される。微粒子は熱伝導に寄与するが、それにもかかわらず、電気絶縁シリコーンに埋め込まれているため、それ自体が電気絶縁性であるように構成する必要はない。
【００２０】
同様に、高充填シリコーンは粒状物を含むことができる。粒状物／ナノ粒子は、特に、ケイ素またはセラミックから構成されていてもよい。ケイ素は本来、特定の電気特性（電気伝導性）を有するが、ケイ素がシリコーンに埋め込まれているため、前記電気特性が作用し始めることはない。
【００２１】
粒状物／ナノ粒子はさらに、以下の物質または化合物、すなわち、アルミニウム、酸化アルミニウム、窒化アルミニウム、炭化ケイ素、および窒化ケイ素のうちの１つまたは複数から構成されていてもよい。
【００２２】
これらの物質／化合物は、純シリコーンよりも高い熱伝導性を有することができる。さらに、これらの物質／化合物は電気絶縁性（例えば酸化アルミニウム）であってもよく、前述したように、シリコーンの電気絶縁効果による電気熱伝導性（例えばアルミニウムの場合）は、そのような伝導性充填剤の使用を除外するものではない。
【００２３】
本発明によるさらなるアセンブリにおいて、少なくとも１つの温度プローブを回路基板に配置してもよい。そのようなアセンブリは、一方で、温度プローブをその位置に固定し、容易に取り付けることができ、他方で、簡単に電気接触させることができるという利点を有する。特に、プリント回路基板（ＰＣＢ）を使用することができる。
【００２４】
特に有利な構成において、回路基板は２つの温度プローブを有することができるため、２つの電気伝導性要素を、起こり得る過熱に関して、同時かつ互いに独立して検査およびモニタすることができる。
【００２５】
特に、２つの電気伝導性要素は、電気車両の充電装置用のコンタクトであってもよい。自由に利用可能な充電ステーションの充電プラグまたは充電ソケットは、欠陥を有することがあるため、電気接触が不十分になることがあり、前述したように、ある状況下でソケットまたはプラグの過度の加熱またはさらには破壊が生じることがある。
【００２６】
さらに、電気車両の充電ソケットまたは充電プラグにおける適用を用いて、事故電流または未知の降下などの車両デバイスまたは充電デバイスに生じる欠陥を認識し、供給される充電電流を電気接続の質に対応して適合させることができると有利である。
【００２７】
本発明によるアセンブリを、温度プローブを少なくとも部分的に、少なくとも三面で囲む熱導体により、さらに改良することができる。そのような温度プローブまたは温度プローブを有する回路基板のＵ字形の囲いは、沿面距離をさらに増加させることができ、両電気回路の電気絶縁を向上させることができるという利点を有する。
【００２８】
特に、Ｕ字形熱導体のベースを支承面により形成することができる。Ｕ字形熱導体の外側要素は、それらの間で、温度プローブまたは温度プローブを有する回路基板を少なくとも部分的に取り囲むことができる。
【００２９】
したがって、本発明によるアセンブリの特に有利な構成において、回路基板の少なくとも１つの部分を、熱導体に差し込むことができる。そのような差込みは、温度プローブを含む回路基板に熱導体を簡単に取り付けることができ、前記熱導体を簡単に交換することができるという利点をさらに有する。
【００３０】
本発明によるアセンブリのさらなる構成において、熱導体は少なくとも１つの温度プローブを受容するためのスロットを有する。そのような熱導体のスロットは、回路基板を前記スロットにも差し込むことができるため、断面がＵ字形に構成された熱導体と同様の利点を有する。特に、スロットをポケットの形状に形成して、スロットに一方の側からのみアクセスできるようにし、スロットのベースからベースを完全に囲む外側壁が、ベースから離れて延びるようにしてもよい。特に、前記外側壁は電気伝導性要素から離れて延びる。
【００３１】
したがって、コンタクトアセンブリの特に有利な構成において、温度プローブを回路基板の舌部に構成することができ、前記舌部を熱導体のスロットで受容することができる。回路基板をぴったりと受容することができるため回路基板に加わる機械力効果が単に低いまたはないにもかかわらず、ポケットとして形成されるこの種のスロットを、回路基板に拘束して保持することができる。
【００３２】
いわゆる表面実装デバイス（ＳＭＤ）を使用するのであれば、熱導体がＳＭＤに機械的に接触しないことが必要となり得る。そのような構成においては、熱導体とＳＭＤとの距離をできるだけ小さく選択して、生じる空隙ができるだけ小さくなる（例えば数百μｍ）ようにすべきである。
【００３３】
本発明によるアセンブリは、少なくとも温度プローブを熱導体により完全に囲むことによりさらに改良することができる。温度プローブと熱導体とのそのような分離できない接続は、温度プローブを有害な影響、例えばガスまたは液体から保護する場合に有利となり得る。さらに、温度プローブをそのように囲むことは、自動車分野において典型的な振動によって熱導体が温度プローブから分離されることもないという利点を有する。
【００３４】
本発明によるコンタクトアセンブリの対応する構成において、コンタクトアセンブリのセンサレセプタクル内のアセンブリを、熱導体の材料で注封してもよい。言い換えると、温度を検出するためのアセンブリとコンタクトアセンブリのセンサレセプタクルの境界線との間の中間空間を、熱導体の材料で完全に注封または充填する。そのような注封により、前述したように、分離できない接続が得られ、この場合、アセンブリ全体を有害な環境条件および振動から保護する。
【００３５】
さらに、熱導体を中空に構成することができ、本発明によるアセンブリのさらなる有利な構成において、熱導体は、電気絶縁外殻と、前記電気絶縁外殻に受容されるさらなる熱伝導性媒体とを備えることができる。そのような構成は、さらなる熱伝導性媒体を選択することにより、到達可能な熱導体の熱伝導性を高めることができるという利点を有する。この場合、さらなる熱伝導性媒体は、絶縁された外殻よりも高い熱伝導性を有することができ、特に、必ずしも電気絶縁性である必要はないことに留意することが重要である。
【００３６】
特に、熱導体は、５００Ｖ超の絶縁破壊電圧を有する。絶縁破壊電圧はさらに高いことが特に好ましく、例えば６００Ｖ超、７００Ｖ超、８００Ｖ超、９００Ｖ超、特に好ましくは１０００Ｖ超である。
【００３７】
本発明によるコンタクトアセンブリの好ましい構成において、センサレセプタクルを二次掛止要素に形成してもよい。特に、温度を検出するためのアセンブリは二次掛止要素とともに可動であってもよく、熱導体が少なくとも１つのコンタクトレセプタクルに当接する、または前記コンタクトレセプタクルに重なる、二次掛止要素の少なくとも１つの位置を設けることができる。
【００３８】
電気伝導性要素をコンタクトレセプタクルで受容することができるため、電気伝導性要素の温度測定が二次掛止要素の少なくとも１つの位置で可能であることが保証される。少なくとも１つの位置は掛止位置に対応することが好ましく、その位置に到達することが、電気伝導性要素による電流接続を開始するために必須条件となり得る。
【００３９】
したがって、特に電気車両の直流ソケットまたは直流プラグであり得るコンタクトアセンブリのそのような構成において、通電電気伝導性要素の温度を熱導体に直接接触させ、これにより、少なくとも１つの温度プローブに熱を間接的に伝導することができる。
【００４０】
アセンブリは、２つの温度プローブを有することが好ましい。したがって、電気伝導性要素の温度プロファイルを非常に精密かつ略瞬時に追跡し、ある状況下で伝導電流を適合させる、すなわち再調整することができる。
【００４１】
したがって、これにより、そのような直流ソケットまたはそのような直流プラグを使用するときの安全性を高めることができる。隣接する要素の電気伝導性要素の過熱を防止することができるため、本発明により寿命を延長することもできる。
【００４２】
本発明によるアセンブリまたは本発明によるコンタクトアセンブリを自動車分野で使用することにより、少なくとも熱導体の支承面の標準的かつ可逆的な変形性が有利となる。これは、電気伝導性要素が振動しているときでも、そのような要素を連続して、すなわち振動による中断なく機械的に接触させることができ、前記要素の温度をモニタすることができるからである。
【００４３】
したがって、コンタクトアセンブリの損傷、またはさらには電気車両の損傷も防止することができるとともに、高電圧電気回路を低電圧電気回路（搭載電子機器）から絶縁することができる。
【００４４】
以下で、添付図面を使用しながら本発明についてさらに詳細に説明する。添付図面は、本発明によるアセンブリおよび本発明によるコンタクトアセンブリの特定の構成を示す。以下に示す構成の技術的特徴を希望に応じて互いに組み合わせることができ、技術的特徴によって達成される技術的効果が重要でなければ、その技術的特徴を他の構成において省略することもできる。記載される特定の構成は意図した保護範囲を限定するものではなく、本発明の複数の可能な構成のいくつかを表すものにすぎない。さらに、本発明によるアセンブリまたは本発明によるコンタクトアセンブリは、特定された数の技術的特徴に限定されず、したがって、例えば、複数の温度プローブ、例えば３個、４個、５個またはそれ以上の温度プローブを有していてもよい。
以下で、同一の技術的特徴および同じ技術的機能を有する技術的特徴には、それぞれ同じ参照数字が与えられる。繰返しの説明を省き、異なる図に示す構成間の違いに明確に言及する。
【図面の簡単な説明】
【００４５】
【図１】電気伝導性要素および温度プローブの例示的な測定温度プロファイルを示す図である。
【図２】先行技術のコンタクトアセンブリを示す図である。
【図３】コンタクトハウジングのない本発明によるコンタクトアセンブリの第１の構成を示す図である。
【図４】図３のコンタクトアセンブリの分解図である。
【図５】少なくとも１つの電気伝導性要素の温度を検出するための本発明によるアセンブリの概略図である。
【図６】図６ａ〜図６ｃは、本発明による熱導体の異なる構成の断面図である。
【図７】それぞれ定常状態においてシミュレートした温度差を示す図である。
【発明を実施するための形態】
【００４６】
図１は、先行技術のアセンブリ１の例示的な測定温度プロファイル５を示す。図中、温度Ｔが時間ｔに対してプロットされており、示される温度Ｔの範囲は２０℃〜１２０℃、時間ｔの範囲は０〜１００分である。
【００４７】
点線は、参照数字５ａで特徴付けられた周囲温度の温度プロファイルを表す。破線は、２つの温度プロファイル５を表し、これらは２つの電気伝導性要素７（図２参照）の温度Ｔの推移を説明し、参照数字５ｃで特徴付けられている。２つの温度プロファイル５ｃは互いにわずかにのみ異なり、これは構成および／または測定中に起こり得る実験偏差に関連する偏差（ずれ）によるものであり得る。
【００４８】
実線は温度プローブ９の温度プロファイル５を特徴付け、この温度プロファイルは参照数字５ｓで示される。
【００４９】
図１において、先行技術の解決策の欠点が明らかになる。一方で、温度プロファイル５ｃ、５ｓ間の温度差ΔＴが見られ、これは図示した測定において約１５Ｋである。さらに、温度プロファイル５ｓは温度プロファイル５ｃに対して時間的に遅れており、これは、例えば図１に遅延時間Δｔで表される。
【００５０】
例えば、電気伝導性要素７は約１６分後に８０℃の温度Ｔに到達するが、温度プローブは約３０分後にならないとこの温度に到達しない。したがって、先行技術の解決策により電気伝導性要素７の温度を適時かつ正確に判定することは不可能である。
【００５１】
本開示中で、用語「適時」は瞬時を意味するものと理解すべきではない。測定する予定の物体の熱を温度プローブに伝達しなければならないため、温度測定は常にある時間遅延に関連付けられる。この伝達および特にこの伝達が行われる時間枠は、異なるパラメータ、例えば、電気伝導性要素と温度プローブとの温度差、２つの要素間の熱伝導性、温度プローブの比熱容量などに応じて決まる。
【００５２】
図１に示す測定は、１０〜２０分の遅延時間Δｔが時々生じ得ることを示す。そのような遅延時間Δｔを根拠とすると、１〜２分の遅延時間Δｔを伴う温度測定を確かに適時と表現することができる。
【００５３】
さらに、正確に判定された温度とは、１／１０℃まで正確な、高精度の温度の判定と理解すべきではなく、±５℃の精度を有する測定であると理解すべきである。
【００５４】
図２は、先行技術の少なくとも１つの電気伝導性要素７の温度Ｔを検出するための関連するアセンブリ１を示す。
【００５５】
アセンブリ１は、一部透視的に描かれ、図示した構成において、コンタクトアセンブリ１１内で使用するように設けられている。この場合、アセンブリ１は、二次掛止要素１５のセンサレセプタクル１３に受容される。
【００５６】
アセンブリ１は、例えばプリント回路基板１９（ＰＣＢ）として構成可能な回路基板１７を備え、図示した構成において、ＰＣＢ１９に機械的かつ電気的に接続された２つの温度プローブ９をさらに備える。アセンブリ１は、評価ユニット２１、記憶ユニット２３、ならびにＰＣＢ１９およびＰＣＢ１９に取り付けられる要素（例えば温度プローブ９）に接触するための接触領域２５をさらに備えることができる。接触領域２５を介して、ＰＣＢ１９は、例えば、温度プローブ９により測定された温度Ｔを表す値（図示せず）を提示することができる。
【００５７】
したがって、ＰＣＢ１９は二次掛止要素１５に受容され、前記二次掛止要素１５は、コンタクトアセンブリ１１のコンタクトハウジング２７に配置および／または固定される。コンタクトアセンブリ１１は、（図示の通り）ソケット２９またはプラグ３１（図示せず）であってよく、例えば充電ソケットおよび充電プラグの形で、電動車両の分野において使用できることが好ましい。そのような適用において、そのようなアセンブリにより、１つまたは複数の電気伝導性要素の温度を測定またはモニタすることができる。
【００５８】
図３および図４は、本発明によるアセンブリ１を２つの電気伝導性要素７および二次掛止要素１５に関連して、取付け状態３３（図３）または分解図（図４）で示す。図５は、本発明によるアセンブリ１を電気伝導性要素７のみに関連して示す。取付け状態３３において、二次掛止要素１５は、熱導体３７がコンタクトレセプタクル５５に当接する、または前記コンタクトレセプタクル５５と重なる位置３４にある。
【００５９】
これらの図において、二次掛止要素１５および／またはＰＣＢ１９も一部透視的に描かれて、下面３５（図５と比較）に配置された温度プローブ９が見えるようになっている。
【００６０】
図示したアセンブリ１は、ＰＣＢ１９とともに、電気絶縁性かつ熱伝導性の材料３９、例えばシリコーン４１、好ましくはいわゆる高充填シリコーン４３を含む２つの熱導体３７を備える。これらの材料３９、４１は、好ましくは５００Ｖ超、さらに好ましくは１０００Ｖ超の絶縁破壊電圧４０を有する。これらの材料３９、４１を、熱導体３７の１つの拡大図に示す微粒子４７と混合する。
【００６１】
熱導体３７は弾性的かつ可逆的に変形可能であるため、弾性４５を有する。
【００６２】
熱導体３７は、陰影で示す支承面４９をさらに備え、図示した支承面４９は曲率５１を有する。図示した支承面４９は凹状に構成されている。
【００６３】
取付け状態３３で、熱導体３７の支承面４９は、概略的に示す凹部５３に位置する。この凹部５３は、センサレセプタクル１３（破線で示す）を二次掛止要素１５のコンタクトレセプタクル５５に接続し、図示した電気伝導性要素７をこのコンタクトレセプタクル５５に挿入することができる。したがって、取付け状態３３で、熱導体３７の支承面４９はコンタクトレセプタクル５５に当接して、または前記コンタクトレセプタクル５５と重なって組み立てられるため、支承面４９がそれぞれの電気伝導性要素７の測定点５７に寄りかかり、かつその弾性４５（少なくとも支承面４９がこの弾性４５を有する）によって測定点５７にぴったりと寄りかかり、空隙（図示せず）の発生を最小限にする。熱導体３７がその支承面４９で測定点５７に寄りかかる様子が、図５にも示される。
【００６４】
熱導体３７は、少なくとも１つの温度プローブ９を受容するためのスロット５９をさらに有する。スロット５９は、ＰＣＢ１９（図５参照）の幅６１に略対応する幅６１を有することができる。
【００６５】
さらに、スロット５９から支承面４９に平行な方向で熱導体３７の本体内に延びる溝６３が設けられる。ＰＣＢ１９に取り付けられた温度プローブ９をこの溝で受容することができる。溝６３の形状およびその端部６５で受容される温度プローブ９も、図５に概略的に示される。
【００６６】
したがって、ＰＣＢ１９が熱導体３７に受容されると、前記熱導体３７は、温度プローブ９、および図示した構成では、さらにＰＣＢ１９の一部を少なくとも三面から囲むため、沿面距離が大幅に増加し、電気伝導性要素７がＰＣＢ１９の要素から電気絶縁される。回路基板１７またはＰＣＢ１９の少なくとも１つの部分１８を、熱導体３７に差し込むことができる。対応する熱導体３７に差し込まれる２つの部分１８が図３に示される。
【００６７】
本発明によるアセンブリ１のさらなる構成において、熱導体３７は、図５に示すように、ＰＣＢ１９で終端するのではなく、前記ＰＣＢ１９を完全に囲むことができる。そのような構成では、接触領域２５のみにアクセスすることができる。このように完全に囲むことは、ＰＣＢ１９が、少なくとも１つの温度プローブ９などの電気要素とともに、腐食性ガスまたは液体などの外部環境の影響から保護されるという利点を有する。そのような構成の熱導体が図６ｃに示される。
【００６８】
図７は、印加される電流Ｉに応じてシミュレートした（ＦＥＭ）温度上昇ΔＴＲを示す。温度上昇ΔＴＲのシミュレートした値はそれぞれ定常状態で、すなわち時間に関係なく判定される。シミュレーションは、両側に７０ｍｍ２の断面および９０マイクロオームの全抵抗を有する電気伝導性要素７を想定して行った。室温は３０℃を想定した。
【００６９】
この図においても、電気伝導性要素７の温度プロファイル５ｃ（〇印付き）と温度プローブ９の温度プロファイル５ｓとの明確な温度差ΔＴを認めることができる。
【００７０】
電流が約３００Ａの場合、本発明による熱導体３７を使用することより、温度差ΔＴを１８Ｋから約６Ｋまで低減させることができる。熱導体３７により得られた温度プロファイル５ｈは、×印付きの線で描かれる。この温度プロファイル５ｈを、温度プロファイル５ｓと同様に、非常に少ない誤差で温度プロファイル５ｃを検出するように参照することができる。
【００７１】
第２の温度差ΔＴ２を、例えば熱導体３７の材料のさらなる最適化により、さらに低減させることができる。
【００７２】
図６ａ〜図６ｃは、本発明による熱導体３７の異なる構成の断面図である。３つの構成すべてがスロット５９の中央の断面で示され、図６ｃに示す構成では、受容容積６７を説明することができる。
【００７３】
さらに、図示したすべての構成が支承面４９を有し、この支承面４９は半径６９を有して凹状に形成される。この半径６９は、対応する電気伝導性要素７の測定点５７の半径６９に対応することが有利である。
【００７４】
図４に関連し、対称軸７１に関して鏡映関係にある第２の熱導体３７を設けてもよいことが容易に明らかである。対称軸７１は図６ａに例としてのみ描かれる。
【００７５】
図６ａおよび図６ｂの構成は、スロット５９に溝６３を有し、この溝６３は、支承面４９の方向で端部５まで延びる。ＰＣＢ１９から図の平面内へ突出する温度プローブを、この溝６３に沿って最終位置７３（破線）まで受容することができる。最終位置７３には、例えば、取付け状態３３で到達する。
【００７６】
図６ａの熱導体３７の１つの本体７５は、シリコーン４１、特に充填シリコーン４３から完全に構成される。本体７５は、さらなる構成において、電気絶縁性かつ熱伝導性であれば他の材料を含んでいてもよい。部分輪郭７７（破線）は、二次掛止要素１５のセンサレセプタクル１３と相補的であるように構成される。部分輪郭７７の一部は測定点５７と相補的であってもよい。
【００７７】
スロット５９の形状は、他の構成において他の形状を有していてもよく、例えば、円形、矩形、または三角形であってもよい。特に、スロット５９の形状は、ＰＣＢ１９の形状に適合し、すなわち、ＰＣＢ１９の形状と相補的であるように形成される。
【００７８】
図６ｂの熱導体３７の構成が有する本体７５は、外殻７９と、この外殻７９に受容されるさらなる熱伝導性媒体８１とを備える。外殻７９は電気絶縁性かつ熱伝導性の材料３９を含み、さらなる熱伝導性媒体８１は、必須ではないが、電気絶縁性であることが好ましい。外殻７９が十分に高い絶縁破壊電圧を有し、したがって、電気伝導性要素７の電気回路とＰＣＢ１９の電気回路とを互いに確実に電気的に分離する限り、電気伝導性媒体をさらなる熱伝導性媒体８１として使用してもよい。さらなる技術的特徴および機能に関し、図６ｂに示す構成は図６ａに示す構成に対応する。
【００７９】
図６ｃは、電気絶縁性かつ熱伝導性の材料３９が、少なくとも表示した温度プローブ９の領域でＰＣＢ１９を完全に囲む、熱導体３７の構成を示す。材料３９は、次いで温度プローブ９を含むＰＣＢ１９を完全に取り囲む。この温度プローブ９は、図の平面において断面で描かれたＰＣＢ１９の下面に位置する。これにより、ＰＣＢ１９および特に温度プローブ９の化学的影響が防止される。
【００８０】
図６ｃに示す熱導体３７の構成を、特に一体として、第２の温度プローブ９を取り囲むように構成してもよい。
【符号の説明】
【００８１】
１  アセンブリ
３  温度
５  温度プロファイル
５ａ  周囲温度の温度プロファイル
５ｃ  電気伝導性要素の温度プロファイル
５ｈ  熱導体による温度プロファイル
５ｓ  温度プローブの温度プロファイル
７  電気伝導性要素
９  温度プローブ
１１  コンタクトアセンブリ
１３  センサレセプタクル
１５  二次掛止要素
１７  回路基板
１８  部分
１９  プリント回路基板（ＰＣＢ）
２１  評価ユニット
２３  記憶ユニット
２５  接触領域
２７  コンタクトハウジング
２９  ソケット
３１  プラグ
３３  取付け状態
３４  位置
３５  下面
３７  熱導体
３９  電気絶縁性かつ熱伝導性の材料
４０  絶縁破壊電圧
４１  シリコーン
４３  高充填シリコーン
４５  弾性
４７  微粒子
４９  支承面
５１  曲率
５３  凹部
５５  コンタクトレセプタクル
５７  測定点
５９  スロット
６１  幅
６３  溝
６５  端部
６７  受容容積
６９  半径
７１  対称軸
７３  最終位置
７５  本体
７７  部分輪郭
７９  外殻
８１  さらなる熱伝導性媒体
Δｔ  遅延時間
ΔＴ  温度差
ｔ  時間
Ｔ  温度
Ｉ  電流
ΔＴＲ  温度上昇
ΔＴ２  第２の温度差
【図１】
2019168450.tif 000003
【図２】
2019168450.tif 000004
【図３】
2019168450.tif 000005
【図４】
2019168450.tif 000006
【図５】
2019168450.tif 000007
【図６】
2019168450.tif 000008
【図７】
2019168450.tif 000009
【外国語明細書】
2019168450000001.pdf